(57)【特許請求の範囲】
【請求項１】
インターネットを介してショッピングシステムと決済システムとを中継する決済中継システムの決済中継方法であって、
前記決済中継システムのコンピュータが、
前記ショッピングシステムから購入額と利用者ＩＤと販売店ＩＤとを含んだショッピング情報を受信するショッピング情報受信手順と、
前記ショッピング情報と、予め前記コンピュータの記憶部に記憶しているショッピング利用者の利用者ＩＤに対応したインターネットバンキングの利用者銀行口座情報とショッピングシステムに出店している販売店の販売店ＩＤに対応した販売店銀行口座情報と銀行毎の振込手数料を定めた振込手数料情報と、に基づいて振込手数料を求める振込料算出手順と、
前記ショッピング情報から所定のクレジット手数料を求めるクレジット料算出手順と、
前記振込料算出手順で求めた振込手数料と前記販売店毎に定められた割り引き率から計算した割り引き額との合計が前記クレジット料算出手順で求めたクレジット手数料に較べて安いとき、前記振込手数料を前記販売店が負担した上で前記購入額から前記割り引き額を差し引いた価格を算出し、前記価格の情報と前記価格によるインターネットバンキング決済を含んだ決済選択メニュー情報とを、前記ショッピング利用者の端末に送信する決済選択メニュー送信手順と、
前記ショッピング利用者の端末から決済方法の情報を受信し、前記情報に基づいて該当する決済システムに接続する決済システム接続手順と
を実行することを特徴とする決済中継方法。
【請求項２】
インターネット上でのショッピングシステムにおいて指定された決済システムに接続する決済中継方法であって、
前記ショッピングシステムのコンピュータが、
ショッピング後の購入額と、予め前記コンピュータの記憶部に記憶しているショッピング利用者のインターネットバンキングの利用者銀行口座情報とショッピングシステムに出店している販売店の販売店銀行口座情報と銀行毎の振込手数料を定めた振込手数料情報と、に基づいて振込手数料を求める振込料算出手順と、
前記購入額から所定のクレジット手数料を求めるクレジット料算出手順と、
前記振込料算出手順で求めた振込手数料と前記販売店毎に定められた割り引き率から計算した割り引き額との合計が前記クレジット料算出手順で求めたクレジット手数料に較べて安いとき、前記振込手数料を前記販売店が負担した上で前記購入額から前記割り引き額を差し引いた価格を算出し、前記価格の情報と前記価格によるインターネットバンキング決済を含んだ決済選択メニュー情報とを、前記ショッピング利用者の端末に送信する決済選択メニュー送信手順と、
前記ショッピング利用者の端末から決済方法の情報を受信し、前記情報に基づいて該当する決済システムに接続する決済システム接続手順と
を実行することを特徴とする決済中継方法。
【発明の詳細な説明】
【０００１】
【発明の属する技術分野】
本発明は、インターネット上でのショッピングシステムと決済システムとを中継する決済中継方法および決済依頼方法に関する。
【０００２】
【従来の技術】
インターネット上で仮想店舗から商品を購入し、オンラインまたはオフラインの決済を行うインターネットショッピングが盛んである。インターネットショッピングをシステムとして捉えたとき、大きく分けて次のようなシステムから構成されると考えることができる。（１）仮想店舗における商品情報の提示と注文情報を処理するショッピングシステム、（２）利用者が注文した商品の代金を精算する決済システム、（３）販売店が注文された商品を利用者に配送を行う配送システム。
【０００３】
ここで、本発明に関するショッピングシステムと決済システムについてその概要を述べる。ショッピングシステムは、単独あるいは複数の販売店がインターネット上に仮想店舗を開設し、そこで商品の情報を提示する。利用者がインターネットを介してショッピングシステムに接続し、掲示されている商品情報を見て気に入った商品があればその商品の注文を行う。注文の行為によって生成される注文情報は、購入された商品コードや数量、購入額、利用者のＩＤ、利用者の住所、販売店のＩＤ等からなり、これらの情報の内必要となる情報が決済システムや配送システムに渡される。
【０００４】
決済システムは、オンラインとオフラインによる決済方法がある。オンラインによる決済システムは、クレジットカードを利用する方法とインターネットバンキングの銀行振込による方法が一般的である。
クレジットカードによる決済の場合は、販売店（即ち、仮想店舗の業者）が利用者（即ち、購買者）から指定されたクレジット会社にクレジットカード番号等の照会を行い、問題がなければクレジット会社から販売店に決済金額が支払われる。その際にクレジット手数料は販売店が負担する。クレジット手数料は例えば購入額の５％である。
【０００５】
一方、インターネットバンキングによる銀行振込による決済の場合は、インターネットバンキング契約をした利用者の銀行口座から販売店の銀行口座に購入額を振り込むもので、銀行振込手数料（以下、振込手数料と言う）は利用者が負担する。振込手数料は、銀行毎に振込額と振込先の口座の所在によって定められており、例えば、振込額が３万円未満の場合、利用者の口座（即ち、振込元の口座）が販売店の口座（即ち、振込先の口座）と同一銀行同一店であった場合は無料、同一銀行他本支店の場合は１０５円、他銀行の場合は２１０円等である。
【０００６】
オフラインの決済には、利用者が銀行に行き指定された銀行口座に対して銀行窓口あるいはＡＴＭ（自動預金支払機）から振り込む銀行振込の方法がある。この場合においても振込手数料は利用者の負担となり、インターネットバンキングとは一般に異なる振込手数料が銀行毎に設定されている。この他に、商品配達時に商品と引き換えに現金で支払う方法や、配達された商品に添付された用紙を用いてコンビニエンス・ストアに行き現金を支払う方法等がある。
【０００７】
【発明が解決しようとする課題】
上記で述べたように、クレジットカード決済の場合はクレジット手数料を販売店が負担し、インターネットバンキングを含む銀行振込の場合は振込手数料を利用者（即ち、購買者）が負担するのが一般的である。従って販売店は、クレジットカード決済より銀行振込決済の方が有利と考え、反対に利用者はクレジットカード決済が有利と考える。
【０００８】
もし、振込手数料分またはそれ以上を販売店が割り引いてくれるのであれば、利用者は銀行振込決済をより多く選ぶことが考えられる。
本発明は、インターネットショッピングの決済において、販売店と利用者にとって有利な銀行振込決済を選択するように誘導する決済中継方法を提供することを目的とする。
【０００９】
【課題を解決するための手段】
本発明は、インターネットショッピングの決済において、販売店と利用者にとって有利な決済方法を提供するものである。
本発明の原理を図１を用いて説明する。図１は決済中継システム１における請求項１、請求項２及び請求項５の決済中継方法と利用者端末２における請求項３の決済依頼方法の発明の原理を併せて示している。
【００１０】
まず、請求項１の決済中継方法について説明する。決済中継方法は、クレジットカード決済で発生するクレジット手数料とインターネットバンキング決済において発生する振込手数料とを比較して振込手数料がクレジット手数料に較べて安いとき、利用者に対して振込手数料を販売店が負担するインターネットバンキング決済を選択するように決済選択メューを表示するもので、ショッピング情報受信手順１１、振込料算出手順１２、クレジット料算出手順１３、決済選択メニュー送信手順１４、決済システム接続手順１５および利用者銀行口座情報３、販売店銀行口座情報４、振込手数料情報５から構成される。
【００１１】
ショッピング情報受信手順１１は、ショッピングシステムからショッピング情報として購入額、ショッピングを行った利用者の利用者ＩＤ、販売を行った販売店の販売店ＩＤを受信する。
次のステップである振込料算出手順１２では、受信したショッピング情報と予め記憶してある利用者銀行口座情報３と販売店銀行口座情報４と振込手数料情報５を用いて銀行振込の手数料を算出する。利用者銀行口座情報３はインターネットバンキング契約をした利用者の銀行口座情報であり、利用者ＩＤに対応した銀行ＩＤ、店番号、口座番号から成る。販売店銀行口座情報４は、販売店の銀行口座情報で販売店ＩＤに対応した銀行ＩＤ、店番号、口座番号から成る。更に振込手数料情報５は、銀行ＩＤ毎に振込額に対応して振込先が同一店、同一店以外の本支店、他銀行に対するインターネットバンキングの振込手数料が格納された情報である。振込手数料の算出は、この振込手数料情報５の該当する条件を当てはめて振込手数料を求めることができる。
【００１２】
続くクレジット料算出手順１３では、ショッピング情報の購入額をもとにクレジット手数料を算出する。例えば、クレジット手数料は購入額の５％を計算して求める。
決済選択メニュー送信手順１４では、先に求めた振込手数料とクレジット手数料とを比較して振込手数料の方が少ないとき、利用者端末２に対して振込手数料を販売店が負担する条件でインターネットバンキング決済を薦める決済選択メニューを表示する情報を送信する。
【００１３】
決済システム接続手順１５は、利用者端末から決済選択メニューで選択された決済方法の情報を受信し、利用者が指定した決済方法に対する決済システムに接続する。
請求項２の決済中継方法は、前述の決済選択メニュー送信手順１４において、先に求めた振込手数料に加えて更に割り引きを行い、その額（即ち、振込手数料＋割り引き額）とクレジット手数料とを比較して振込手数料＋割り引き額の方が少ないとき、利用者端末２に対して振込手数料を販売店が負担する上で更に割り引きを行う条件でインターネットバンキング決済を薦める決済選択メニューを表示する情報を送信するものである。
【００１４】
次に、請求項３の決済依頼方法について説明する。決済依頼方法は、図１の利用者端末２において決済選択メニューに基づいて利用者が選択した決済方法の情報を決済中継システム１に送信する手順を行うもので、決済選択メニュー受信手順２１と決済方法情報送信手順２２から構成される。
決済選択メニュー受信手順２１は、決済中継システム１から送信された決済選択メニューの表示情報を利用者端末２で受信し表示するものである。
【００１５】
決済方法情報送信手順２２は、利用者端末２に表示された決済選択メニューの中から利用者が選択した決済方法の情報を決済中継システム１に送信するものである。即ち、利用者が指定した決済方法で決済することを決済中継システム１に依頼するものである。
次に請求項４の発明について説明する。請求項１では、ショッピングシステム６や決済システム７とは独立した決済中継システム１における決済中継方法であった。これに対し請求項４は、請求項１と同じ方法をショッピングシステム６内で行うものである。この場合、ショッピングシステム６内で行うためショッピング情報を受信する必要はなく、利用者が購入した購入額と利用者の銀行口座情報、販売店の銀行口座情報とから振込手数料情報を用いて振込手数料を求めることができる。以後の手順は請求項１と同様である。
【００１６】
請求項５は、オフラインの銀行振込（即ち、利用者が銀行窓口またはＡＴＭにより販売店の口座に振り込む）において振込手数料を販売店が割り引く条件で、オフラインの銀行振込に誘導するものである。この時の振込手数料情報５には、銀行窓口での振込手数料が格納される。
【００１７】
【発明の実施の形態】
以下に本発明の一実施形態を説明する。図２は、本実施形態の全体の構成を示すものである。インターネット８を介してショッピングシステム６、決済中継システム１、決済システム７および利用者端末２が通信できる構成となっている。これらのシステムと利用者端末２の関係を簡単に述べる。利用者は利用者端末２からショッピングシステム６に接続し、そこで掲示されている商品情報を見て気に入った商品があれば購入の注文を行う。購入の情報はショッピング情報として決済中継システム１に引き継がれ、ここで決済方法の選択が利用者に求められる。決済中継システム１は利用者が指定した決済方法の決済システム７に接続し、決済システム７では引き継がれた決済情報により決済の処理を行う。本発明である決済中継システム１の決済中継方法と利用者端末２の決済依頼方法の仕組みの一実施形態について図２〜図９を用いて詳細に説明する。
【００１８】
まず決済中継システム１の処理フローについて図３を用いて説明する。利用者がショッピングシステム６で買い物を終えると決済中継システム１に引き継がれ、利用者が決済中継システム１に入るための認証を行う。利用者にログインＩＤとパスワードの入力を求め、予め登録してある利用者銀行口座情報３を参照して決済中継システム１の登録者であることを確認する。ここで参照した利用者銀行口座情報３のデータ構成例を図６に示す。利用者銀行口座情報３は予め利用者の登録に基づいて作成されているもので、利用者ＩＤをキーとして、利用者が開設している銀行コード、店番号、口座番号さらに決済中継システム１に入るためのログインＩＤとパスワード、銀行に登録している資金移動のためのパスワードから成る。このように決済中継システム１では利用者の個人情報を備えているため本人確認の認証を行い、登録者以外の進入を防止している。認証の処理は図２では認証機能２０１で行われる。認証で問題がなければ、ショッピングシステム６から購入額、利用者ＩＤ、販売店ＩＤから成るショッピング情報を受信する。このショッピング情報受信の処理は、図２ではショッピング情報受信機能２０２で行われる。（Ｓ１１、Ｓ１２）
次に、購入額と、利用者ＩＤから利用者銀行口座情報３を参照して得られた銀行コードおよび店番号と、販売店ＩＤから販売店銀行口座情報４を参照して得られた銀行コードおよび店番号とを振込手数料情報５に当てはめて振込手数料を求める。ここで販売店銀行口座情報４のデータ構成例を図７に示す。販売店銀行口座情報４は販売店ＩＤをキーとし、銀行コード、店番号、口座番号から成る。また、振込手数料情報５のデータ構成例を図８に示す。振込手数料は、まず振込額（即ち、購入額）と利用者と販売店の銀行コードと店番号から振込先の条件（同一行同一店か、同一行本支店か等）から図８（ｂ）を参照して、手数料１〜手数料６の何れかを求め、次に振込元銀行となる利用者の銀行コードに対応した振込手数料を図８（ａ）から求める。例えば、ショッピングにおける購入額が５万円であり、利用者の口座開設の銀行がＡ銀行で、販売店の口座開設の銀行がＢ銀行であった場合、Ａ銀行からＢ銀行への口座振込手数料は「３万円以上の振込額で、他銀行への振込」の条件となり、図８（ｂ）から使用する手数料は手数料６となり、Ａ銀行の銀行コードが「０００１」であれば図８（ａ）より振込手数料は４２０円となる。振込手数料情報５は、利用者と販売店が登録した銀行コード全てに対して振込手数料の情報が作成されている。
【００１９】
更に本実施形態では、ショッピングシステムに出店している販売店が振込手数料の負担に加えて更に割り引きを行うこととしており、その割り引き額を求める。図９は販売店によって定めた割り引き率を表す情報である。図９を参照して割り引き額を計算すると、利用者が購入した販売店のＩＤが「０００１」である場合割り引き率は２％となり、先の例にならって購入額が５０，０００円のときの割引額は１，０００円となる。従って、先の振込手数料と割引額との和は１，４２０円（１，０００円＋４２０円）となる。この処理は図２では振込料算出機能２０３で行われる。
【００２０】
続いてショッピング情報から得られた購入額を用いてクレジット手数料の算出を行う。クレジット手数料は購入額に例えば５％を乗じた額であり、購入額５０，０００円の場合のクレジット手数料は２，５００円となる。従って先に求めた振込手数料と割引額の和はクレジット手数料と較べて１，０８０円少ない。このことは、利用者がインターネットバンキング決済を選んでくれれば、販売店は振込手数料の４２０円を負担しても１，０８０円得をすることになり、また利用者も１，０００円得をすることになる。このような条件のとき、利用者端末２に特別割引付インターネットバンキング決済の選択を推奨する決済選択メニューの表示情報を利用者端末２に送信する。振込手数料と割引額との和がクレジット手数料より多い場合は販売店にとって不利となるので、この場合は利用者に単に従来の決済方法を選択する決済選択メニューの表示情報を送信する。クレジット手数料を求める処理は図２ではクレジット料算出機能２０４で、決済選択メニューの表示情報を送信する処理は図２の決済選択メニュー送信機能２０５で行われる。
（Ｓ１３〜Ｓ１６）
決済選択メニューの表示情報の送信に対して、利用者が選択した決済方法の情報を受信し、決済中継システム１はその情報に基づいて決済システム７の決済システムと接続を行う。この時、決済中継システム１は購入額や利用者の口座情報、販売店の口座情報を決済情報として決済システム７に引き渡す。（Ｓ１７、Ｓ１８）
次に、利用者端末２における利用者のフローを図４により説明する。利用者はまずインターネットを介してショッピングシステム６に接続し、そこで商品を選定し注文を行う。購入が終了するとショッピングシステム６は、決済方法を決める決済中継システム１に引き継ぎ、利用者は決済中継システム１から認証のためのユーザＩＤとパスワードの認証情報の入力を求められ、これに応じて認証情報を入力する。この認証情報の処理は図２では認証情報入力機能３０１である。（Ｓ２１〜Ｓ２３）
入力された認証情報が決済中継システム１において登録の本人であることが確認されると、続いて利用者端末２は決済中継システム１から送られた決済選択メニューを受信し表示する。決済選択メニューは、特別割引付インターネットバンキング決済を含む場合と含まない場合とがある。利用者は表示された決済選択メニューの中から選んで決済方法を指定し、その情報を決済中継システム１に送信する。続いて決済中継システム１が接続した決済システム７から決済処理のための表示が行われ、利用者はこれに応答する。図４におけるこれらの応答は、インターネットバンキング決済が選択された場合とクレジットカード決済を含むその他の決済の場合とに分けた場合のフローで示しており、それぞれの決済システム７から送られた決済の手続画面が表示され、それに応答することを行っている。決済中継システム１が決済システム７に接続したとき、例えば特別割引付インターネットバンキング決済であった場合、割引後の購入額や振込元の口座情報（即ち、利用者の口座情報）、販売店の口座情報（即ち、振込先の口座情報）、更に利用者の資金移動のパスワードが決済情報として引き継がれる。このため、決済システム７で改めて利用者に入力を求めることがないようにしている。
【００２１】
決済中継システム１からの決済選択メニューの表示情報を受信して表示する処理および選択した決済方法の情報を返信する処理はそれぞれ図２では決済選択メニュー受信機能３０２および決済方法情報送信機能３０３に該当する。（Ｓ２４〜Ｓ２７）
上記に述べた利用者のフローの主な画面イメージを図５に示した。図５の画面に従って、ショッピングシステム６、決済中継システム１、決済システム７の流れを説明する。図５では、ショッピングシステム６がショッピング明細画面を表示している例を最初に示しており、ここで利用者が商品を選択した後に「購入」ボタンを押すと購入額が確定し、続いて決済中継システム１に引き継がれて認証画面が表示される。ユーザＩＤおよびパスワードの入力により決済中継システムに登録された本人であることが確認されると、続いて決済選択メニューが表示される。図５に示した決済選択メニューは、特別割引付インターネットバンキング決済を推奨する画面を示した。利用者が、特別割引付インターネットバンキング決済を選択し「次へ」のボタンを押すと、インターネットバンキング振込確認画面が表示される。利用者は、内容を確認後「実行」ボタンを押すと決済処理が実行される。この画面において、購入金額５０，０００円に対し、利用者は２％の割引が受けられ４９，０００円を振り込むことを示している。インターネットバンキングの決済システムは、振込手数料として４２０円を差し引き、販売店の口座に４８，５８０円を振り込む処理を行う。
【００２２】
上記の実施形態とは別の実施形態を図１０に示した。図１０はショッピングシステム６の中に図２で示した認証機能２０１〜決済システム接続機能２０６を持たせたもので、請求項４の一実施形態を提示するものである。処理フロー及び利用者のフローは前述の内容と変わらないので省略する。
また、本実施形態では振込手数料に上乗せして割り引きを行った例を示したが、振込手数料のみ販売店が負担するものであってもよい。
【００２３】
さらに、オンライン決済のインターネットバンキングでなくオフラインの銀行振込であってもよく、この場合の振込手数料情報５は銀行窓口利用の手数料を設定しておく。何故なら、利用者は銀行窓口を利用するか、ＡＴＭを利用するか不明であるので、手数料の高い銀行窓口の手数料を使用する。
（付記１）  インターネット上でのショッピングシステムと決済システムとを中継する決済中継方法であって、
前記ショッピングシステムから購入額と利用者ＩＤと販売店ＩＤとを含んだショッピング情報を受信するショッピング情報受信手順と、
前記ショッピング情報とインターネットバンキング契約をしているショッピング利用者の利用者ＩＤに対応した利用者銀行口座情報とショッピングシステムに出店している販売店の販売店ＩＤに対応した販売店銀行口座情報から銀行毎の振込手数料を定めた振込手数料情報により振込手数料を求める振込料算出手順と、
前記ショッピング情報から所定のクレジット手数料を求めるクレジット料算出手順と、
前記振込料算出手順で求めた振込手数料が前記クレジット料算出手順で求めたクレジット手数料に較べて少ないとき、前記振込手数料を前記販売店が負担するインターネットバンキング決済を含んだ決済選択メニュー情報を、前記ショッピング利用者の端末に送信する決済選択メニュー送信手順と、
前記ショッピング利用者の端末から決済方法の情報を受信し、前記情報に該当する決済システムに接続する決済システム接続手順と
を備えることを特徴とする決済中継方法。
（付記２）  前記決済選択メニュー情報は、前記振込料算出手順で求めた振込手数料と販売店毎に定められた割り引き率から計算した割り引き額との合計が前記クレジット料算出手順で求めたクレジット手数料に較べて少ないとき、前記振込手数料を前記販売店が負担した上で前記購入額から前記割り引き額を差し引いた価格を提示するようにした
付記１記載の決済中継方法。
（付記３）  インターネット上でショッピング情報を得て決済システムに中継する決済中継システムとインターネットを介して接続された利用者端末の決済依頼方法であって、
前記決済中継システムから送信された決済方法の選択を求める決済選択メニュー情報を受信して表示する決済選択メニュー受信手順と、
前記決済表示メニューから選択された決済方法の情報を前記決済中継システムに送信する決済方法情報送信手順と
を備えることを特徴とする決済依頼方法。
（付記４）  インターネット上でのショッピングシステムにおいて指定された決済システムに接続する決済中継方法であって、
ショッピング後の購入額とインターネットバンキング契約をしているショッピング利用者の利用者銀行口座情報とショッピングシステムに出店している販売店の販売店銀行口座情報から銀行毎の振込手数料を定めた振込手数料情報により振込手数料を求める振込料算出手順と、
前記購入額から所定のクレジット手数料を求めるクレジット料算出手順と、
前記振込料算出手順で求めた振込手数料が前記クレジット料算出手順で求めたクレジット手数料に較べて少ないとき、前記振込手数料を前記販売店が負担するインターネットバンキング決済を含んだ決済選択メニュー情報を、前記ショッピング利用者の端末に送信する決済選択メニュー送信手順と、
前記ショッピング利用者の端末から決済方法の情報を受信し、前記情報に該当する決済システムに接続する決済システム接続手順と
を備えることを特徴とする決済中継方法。
（付記５）  インターネット上でのショッピングシステムと決済システムとを中継する決済中継方法であって、
前記ショッピングシステムから購入額と利用者ＩＤと販売店ＩＤとを含んだショッピング情報を受信するショッピング情報受信手順と、
前記ショッピング情報とショッピング利用者の利用者ＩＤに対応した利用者銀行口座情報とショッピングシステムに出店している販売店の販売店ＩＤに対応した販売店銀行口座情報から銀行毎の振込手数料を定めた振込手数料情報により振込手数料を求める振込料算出手順と、
前記ショッピング情報から所定のクレジット手数料を求めるクレジット料算出手順と、
前記振込料算出手順で求めた振込手数料が前記クレジット料算出手順で求めたクレジット手数料に較べて少ないとき、前記振込手数料を前記販売店が購入額から割り引く銀行振込決済方法を含んだ決済選択メニュー情報を、前記ショッピング利用者の端末に送信する決済選択メニュー送信手順と、
前記ショッピング利用者の端末から決済方法の情報を受信し、前記情報に該当する決済システムに接続する決済システム接続手順と
を備えることを特徴とする決済中継方法。
（付記６）  インターネット上でのショッピングシステムと決済システムとを中継する決済中継プログラムであって、
前記ショッピングシステムから購入額と利用者ＩＤと販売店ＩＤとを含んだショッピング情報を受信するショッピング情報受信手順と、
前記ショッピング情報とインターネットバンキング契約をしているショッピング利用者の利用者ＩＤに対応した利用者銀行口座情報とショッピングシステムに出店している販売店の販売店ＩＤに対応した販売店銀行口座情報から銀行毎の振込手数料を定めた振込手数料情報により振込手数料を求める振込料算出手順と、
前記ショッピング情報から所定のクレジット手数料を求めるクレジット料算出手順と、
前記振込料算出手順で求めた振込手数料が前記クレジット料算出手順で求めたクレジット手数料に較べて少ないとき、前記振込手数料を前記販売店が負担するインターネットバンキング決済を含んだ決済選択メニュー情報を、前記ショッピング利用者の端末に送信する決済選択メニュー送信手順と、
前記ショッピング利用者の端末から決済方法の情報を受信し、前記情報に該当する決済システムに接続する決済システム接続手順と
をコンピュータに実行させるための決済中継プログラム。
【００２４】
（付記７）  インターネット上でのショッピングシステムと決済システムとを中継する決済中継プログラムであって、
前記ショッピングシステムから購入額と利用者ＩＤと販売店ＩＤとを含んだショッピング情報を受信するショッピング情報受信手順と、
前記ショッピング情報とショッピング利用者の利用者ＩＤに対応した利用者銀行口座情報とショッピングシステムに出店している販売店の販売店ＩＤに対応した販売店銀行口座情報から銀行毎の振込手数料を定めた振込手数料情報により振込手数料を求める振込料算出手順と、
前記ショッピング情報から所定のクレジット手数料を求めるクレジット料算出手順と、
前記振込料算出手順で求めた振込手数料が前記クレジット料算出手順で求めたクレジット手数料に較べて少ないとき、前記振込手数料を前記販売店が購入額から割り引く銀行振込決済方法を含んだ決済選択メニュー情報を、前記ショッピング利用者の端末に送信する決済選択メニュー送信手順と、
前記ショッピング利用者の端末から決済方法の情報を受信し、前記情報に該当する決済システムに接続する決済システム接続手順と
をコンピュータに実行させるための決済中継プログラム。
【００２５】
【発明の効果】
本発明によればインターネットショッピングの決済において、購入額と振込元および振込先の口座開設の条件により販売店と利用者にとって有利な決済が行える仕組みを提供できる。
【図面の簡単な説明】
【図１】本発明の原理図である。
【図２】インターネットショッピング決済中継／依頼方法実施例（その１）である。
【図３】決済中継システムの処理フロー例である。
【図４】利用者のフロー例である。
【図５】ショッピングシステム及び決済中継システムの画面例である。
【図６】利用者銀行口座情報のデータ構成例である。
【図７】販売店銀行口座情報のデータ構成例である。
【図８】振込手数料情報のデータ構成例である。
【図９】割り引き情報のデータ構成例である。
【図１０】インターネットショッピング決済中継／依頼方法実施例（その２）である。
【符号の説明】
１：決済中継システム
２：利用者端末
３：利用者銀行口座情報
４：販売店銀行口座情報
５：振込手数料情報
６：ショッピングシステム
７：決済システム
８：インターネット
９：割り引き情報
１１：ショッピング情報受信手順
１２：振込料算出手順
１３：クレジット料算出手順
１４：決済選択メニュー送信手順
１５：決済システム接続手順
２１：決済選択メニュー受信手順
２２：決済方法情報送信手順
２０１：認証機能
２０２：ショッピング情報受信機能
２０３：振込料算出機能
２０４：クレジット料算出機能
２０５：決済選択メニュー送信機能
２０６：決済システム接続機能
３０１：認証情報入力機能
３０２：決済選択メニュー受信機能
３０３：決済方法情報送信機能
【図１】
0004555523.tif 000002
【図２】
0004555523.tif 000003
【図３】
0004555523.tif 000004
【図４】
0004555523.tif 000005
【図５】
0004555523.tif 000006
【図６】
0004555523.tif 000007
【図７】
0004555523.tif 000008
【図８】
0004555523.tif 000009
【図９】
0004555523.tif 000010
【図１０】
0004555523.tif 000011